(57)【要約】【課題】  このブラシを交換のときに、バネが付いているので飛び出さないように交換するのが難しい。  そこで、バネの変わりに磁石の反発を利用すると、取り付けが簡単で容積が小さくなる。【解決手段】  ブラシ（１）がコンミテータ（２）と接触させるため、ブラシ（１）の頭部にブラシ磁石（３）を埋め込む。  そして、反発するようにキャップ（４）にはキャップ磁石（５）を取り付け、ブラシ（１）はブラシシャンク（６）に接触した状態ですり動くように取り付け、それを絶縁するためのブラシホルダ（７）で固定する。【選択図】    図１
2008148525.tif 000002
【特許請求の範囲】
【請求項１】
直流電動機や整流子電動機に使用している給電装置の、リード線（８）からブラシシャンク（６）を介してコンミテータ（２）に電気を伝えるとき、ブラシ（１）がブラシシャンク（６）とコンミテータ（２）を介在して通電する。
そのブラシ（１）は、コンミテータ（２）に接触させるため、ブラシ（１）の頭部にブラシ磁石（３）を取り付ける。
そして、キャップ（４）に具備されたキャップ磁石（５）は、ブラシ磁石（３）と反発するように同じ極を向かい合わせて、キャップ（４）の下部にキャップ磁石（５）を取り付ける。
また、ブラシシャンク（６）を絶縁するためブラシホルダ（７）が付いており、ブラシホルダ（７）の上部にはキャップ（４）を取り付けるためのネジ（９）が付いており、キャップ（４）を止めることを特徴とする給電装置。
【請求項２】
キャップ全体を磁石で作って、キャップ磁石（５）とする請求項１の給電装置。
【発明の詳細な説明】
【技術分野】
【０００１】
本発明は、直流電動機や整流子電動機に使用している給電装置に関するものである。
【背景技術】
【０００２】
従来の給電装置のブラシは、ブラシ部分を保持するブラシホルダ部とからなり、ブラシ部はブラシとピグテール、ピグテール支え及びバネ部材とで構成されている。
またブラシホルダ部はブラシホルダと保持筒のブラシシャンク及びキャップとで構成されているものが多く使用されている。
直流電動機や整流子電動機に、このブラシ装置を取り付けるときに、ブラシとピグテール支えを挿入した後、ピグテール支えがバネ圧で飛び出さないように、ピグテール支えを指で押さえながらキャップの締め付けを行っていたが、ピグテール支えがバネの弾性力で押し返されるので大変作業性が悪い。
また、ブラシシャンクとキャップのネジの境界の段にピグテール支えの端が引掛かった状態で締め付けられることがあり、締め付け不良になることも多かった。  その問題を解決するために、
【特許文献１】特開平９−１２１５１４
【０００３】
の名称、整流子電動機のブラシ保持装置のように、ピグテール支えとブラシシャンクとに係止孔及び係止用突起を設けることにより、ピグテール支えをブラシシャンクに挿入した後、手を離してもピグテール支えの飛び出しがなくなり作業性が大幅に向上する。
また、ピグテール支えの端部がブラシホルダのネジ部とブラシシャンクの境界部に挟まれて締め付けることがなくなり、ブラシの取り付け不良が解消されていた。
【発明の開示】
【発明が解決しようとする課題】
【０００４】
しかし、この発明を実行するには整流子電動機の本体にあるブラシシャンクを改造しなければならず、今使われている直流電動機や整流子電動機には使用できなかった。
また、ピグテール支えにピグテールを半田で取り付けている場合、熱で溶け、ブラシシャンクに接合剤としてくっつき、ブラシの交換ができないこともあった。
【０００５】
そこで、本発明の給電装置は、ブラシのバネに変えて磁力の反発によって行うものであり、ブラシ（１）がコンミテータ（２）と接触させるため、ブラシ（１）の頭部にブラシ磁石（３）を埋め込む。
そして、反発するようにキャップ（４）には、キャップ磁石（５）を取り付けてある。
ブラシ（１）はブラシシャンク（６）に接触した状態ですり動くように取り付け、それを絶縁するため絶縁物のブラシホルダ（７）で固定し、その上部にはキャップ（４）取り付ける給電装置を提供するものである。
【課題を解決するための手段】
【０００６】
上記目的を達成するために、本発明の給電装置は、リード線（８）からブラシシャンク（６）を介してコンミテータ（２）に電気を伝えるとき、ブラシ（１）がブラシシャンク（６）とコンミテータ（２）を介在して通電する。
そのブラシ（１）は、コンミテータ（２）に接触させるため、ブラシ（１）の頭部に穴を彫り、その中にブラシ磁石（３）を挿入して取り付ける。
または磁石を置き、それを包むようにブラシ（１）のカーボンを固めて作る。
そして、キャップ（４）に具備されたキャップ磁石（５）は、ブラシ磁石（３）と反発するように同じ極を向かい合わせて、キャップ（４）の下部に穴を彫り、その中にキャップ磁石（５）を挿入して取り付ける方法と、キャップ全体を磁石で作りキャップ磁石（５）とする方法がある。
また、ブラシシャンク（６）を絶縁するためと、電動機本体に取り付けるためブラシホルダ（７）が付いており、ブラシホルダ（７）の上部にはキャップ（４）を取り付けるためのネジ（９）が付いており、キャップ（４）を止めることで目的を達成した。
【発明の効果】
【０００７】
本発明の給電装置を使用することで、次のような効果がある。
（イ）ブラシを交換するとき、バネが付いていないので取り付が簡単である。
（ロ）本発明は磁石であるため熱に強く、１０００度の熱に耐える。
（ハ）本発明はバネの分だけ容量を小さくすることができ、ベビーグラインダーなどでは給電装置が飛び出していたが、１センチ小さくすることができる。
（ニ）または、容量が同じならブラシを厚みの厚い物にでき、交換する回数を減らすことができる。
（ホ）ブラシを厚みを大きくした分、ブラシを細くしても安定し、ブラシがブラシシャンクに詰まることが少ない。
【発明を実施するための最良の形態】
【０００８】
リード線（８）からブラシシャンク（６）に電気が伝わり、コンミテータ（２）に電気が伝わるのをブラシ（１）が介在する。
したがって、ブラシシャンク（６）とコンミテータ（２）のギャップは少ない方がよい。
もしも緩衝していても、スパークして何れは摩耗するので、回るぐらいならギャップはなくてよいが、ブラシ（１）が禿びた滓が溜まるときはコンミテータ（２）の回転する後ろ側のブラシシャンク（６）を少し透かす。
そして、ブラシ（１）はコンミテータ（２）の摩擦と、側面のブラシシャンク（６）の摩擦によってブラシシャンク（６）からブラシ（１）を介してコンミテータ（２）へと電気が伝わる。
そのとき、ブラシ（１）とブラシシャンク（６）の摩擦は殆どないので、ブラシシャンク（６）は摩耗しない。
【０００９】
一方、ブラシ（１）とコンミテータ（２）の摩擦は約毎分１Ｋｍあり、接触面から青い火花が出てブラシ（１）が少しずつ禿びる。
したがって、ブラシ（１）の厚みは大きい物の方がよい。
従来の電動機は、ブラシにバネを使用していたが、本発明はバネの付いていない分だけ大きな物が使える。
また、コンミテータ（２）とブラシ（１）を適度に接触させるため、ブラシ（１）の頭部に孔を彫りブラシ磁石（３）を挿入する。
これは、ブラシ（１）とブラシシャンク（６）の接触する面積を少しでも広くするためと、厚みを大きくした分、ブラシ（１）の幅を細くしても安定し、ブラシ（１）が禿びた滓がブラシシャンク（６）に詰まり固定することもない。
キャップ（４）も同じく、下部にキャップ磁石（５）を挿入させてブラシホルダ（７）にねじ込むが、キャップ（４）自身を磁石で作ればもっと簡単である。
【実施例】
【００１０】
以下、本発明の実施例について図面を参照して説明する。
（イ）本発明をベビーグラインダーで実験してみた。
ブラシ（１）は、コンミテータ（２）の回転方向に５ミリ、コンミテータ（２）の軸方向に６ミリ、厚みは１０ミリの物を、ビグテールとバネとビグテール支えは不要なので取り除く。
そして図３のように、実際はブラシ（１）の頭部にブラシ磁石（３）を取り付けるための穴を付けるのだが、面倒なのでブラシ磁石（３）を厚さ５ミリ、コンミテータ（２）の回転方向に５ミリ、コンミテータ（２）の軸方向に６ミリの磁石を削り、ブラシシャンク（６）の中にブラシ（１）を挿入して、ブラシ（１）の上に削った磁石を乗せてブラシ磁石（３）とした。
キャップ（４）は、直径１５ミリに削り、厚み５ミリで、磁石をキャップ（４）の変わりにするためキャップ（４）とキャップ磁石（５）が一体になり、ネジを切ってないのでガムテープでとめた。
図４は、磁石の向きを表した断面図で、磁石の入れる方向が違うと磁石は引っ付くので、反対に取り付けたことが分かる。
以上のような簡単な実験装置であるが、回ることは実証された。
【００１１】
（ロ）ところで、従来はヒューズが付いていない電動機は、負担をかけ過ぎるとブラシのバネが熱を持ち、バネの役目を果たさずコンミテータ（２）とブラシの接触ができず、電気が通電せず電動機を保護していた。
したがって、ブラシにバネを取り除くことは、最後のヒューズを取り除くことに等しいので、電動機を保護するためにはヒューズがいる。
（ハ）以上、ブラシ（１）のバネを磁石を利用することで撤去できる物であり、従来のブラシシャンク（６）を使用するのならブラシ（１）はバネを取り除いた分だけ厚みの厚い物が使用でき、ベビーグラインダーの場合は３センチの厚みのブラシ（１）が使用でき、電動機のブラシ（１）の交換は時期を延ばすことができる。
また、ブラシ（１）の厚みを厚くしたことで、ブラシ（１）とブラシシャンク（６）とのギャップを広くすることができ、ギャップを広くすることはブラシ（１）の摩耗でブラシ（１）の滓が、ブラシ（１）とブラシシャンク（６）の間に詰まる可能性が少ない。
（ニ）さらに、ブラシ（１）を従来のままの厚みにするのなら、給電装置全体を小さくすることができる。
【図面の簡単な説明】
【００１２】
【図１】図は、本発明の断面図である。
【図２】図は、キャップを取り付けたの断面図である。
【図３】図は、実際に実験した断面図である。
【図４】図は、実際に実験した断面図で、磁石の方向を示している。
【符号の説明】
【００１３】
１        ブラシ
２        コンミテータ
３        ブラシ磁石
４        キャップ
５        キャップ磁石
６        ブラシシャンク
７        ブラシホルダ
８        リード線  
９        ネジ
【図１】
2008148525.tif 000003
【図２】
2008148525.tif 000004
【図３】
2008148525.tif 000005
【図４】
2008148525.tif 000006